(57)【要約】大型器具のような製品（１２）を保護し、これにクッションを与えるための改善された開いた側部のパッケージ組立体（１０）であって、組立体（１０）はモールド成形されたＥＰＳのベース（１４）と、頂部キャップ（２０）と、ベース（１４）から頂部キャップ（２０）へ延びる４つの支持ポスト（１６、１８）とを有する。支持ポスト（１６、１８）は、これらがベース（１４）又は頂部キャップ（２０）内に挿入されたときに、これらが脱落しないように、形状づけられる。【選択図】図２
2007509828.tif 000002
【特許請求の範囲】
【請求項１】
製品１２を保持するための梱包組立体１０において、
上記組立体１０が、
各々上端及び底端を有し、上記底端に位置する一体的に形成されたタブ６０を有する少なくとも１つの長手方向の支持ポスト１６と；
相互係止様式で上記支持ポスト１６の上記底端を受け入れるように形状づけられた開口２２を中に位置させたベース１４と；
を有することを特徴とする組立体。
【請求項２】
上記ベース１４が矩形であり、４つの隅部及び外側周辺１５を有し、上記開口２２が上記隅部に位置することを特徴とする請求項１に記載の組立体１０。
【請求項３】
各支持ポスト１６が、外側の壁２８と、その間に中空の空間を画定するように上記外側の壁２８と実質上同程度に広がり、外側端部３２、３４で当該外側の壁２８に結合された内側の、製品に対面する壁３０とを備えた管状構造体として巻かれた紙シートから形成されることを特徴とする請求項２に記載の組立体１０。
【請求項４】
各支持ポストの外側の壁２８が外側縁部４０に沿って直角に結合された２つの外側の壁部材３６、３８を有し、各外側の壁部材３６、３８が上記外側縁部４０から上記外側端部３２、３４の１つへ延び、上記内側の壁３０が内側隅部５０に沿って直角に結合された２つの内側の壁部材５６、５８を有し、各内側の壁部材５６、５８が上記内側隅部５０から当該外側端部３２、３４の１つへ延び、当該外側及び内側の壁２８、３０が該外側端部３２、３４において係止タブ６０を形成することを特徴とする請求項３に記載の組立体１０。
【請求項５】
各係止タブ６０が実質上平坦であり、上記外側の壁２８及び上記内側の壁３０の隣接する部分から形成されることを特徴とする請求項４に記載の組立体。
【請求項６】
上記２つの係止タブ６０が非平行な平面上で指向することを特徴とする請求項５に記載の組立体。
【請求項７】
上記係止タブ６０が上記ベース１４の上記外側周辺１５から内方に離間し、当該ベース１４の部分９９が各外側の壁部材３６、３８に当接することを特徴とする請求項６に記載の組立体１０。
【請求項８】
頂部キャップ２０を更に有し、上記支持ポスト１６が上記ベース１４から上記頂部キャップ２０へ延び、同頂部キャップ２０内に嵌合することを特徴とする請求項７に記載の組立体１０。
【請求項９】
上記支持ポスト１６のまわりに巻かれた透明なフィルムを更に有することを特徴とする請求項８に記載の組立体１０。
【請求項１０】
製品１２と上記支持ポスト１６との間で製品１２上に置かれる透明なフィルムを更に有することを特徴とする請求項８に記載の組立体１０。
【請求項１１】
上記ベース１４が防水性であることを特徴とする請求項７に記載の組立体１０。
【請求項１２】
上記ベース１４が発泡ポリスチレンから作られることを特徴とする請求項１１に記載の組立体１０。
【請求項１３】
上記支持ポスト１６が紙から作られることを特徴とする請求項１２に記載の組立体１０。
【請求項１４】
製品１２を保持するための梱包組立体１０において、
上記組立体１０が、
各々上端及び底端を有し、上記底端に位置する一体的に形成された係止部分９０を有する少なくとも１つの長手方向の支持ポスト１８と；
相互係止様式で上記支持ポスト１６の上記底端を受け入れるように形状づけられた開口２４を中に位置させたベース１４と；
を有することを特徴とする組立体。
【請求項１５】
上記ベース１４が矩形であり、４つの隅部及び外側周辺１５を有し、上記開口２４が上記隅部に位置することを特徴とする請求項１４に記載の組立体１０。
【請求項１６】
各支持ポスト１８が、外側の壁６２と、その間に少なくとも１つの中空の空間を画定するように上記外側の壁６２と実質上同程度に広がり、外側端部６６、６８で当該外側の壁６４に結合された内側の、製品に対面する壁６４とを備えた管状構造体として巻かれた紙シートから形成されることを特徴とする請求項１５に記載の組立体１０。
【請求項１７】
各支持ポストの外側の壁６２が外側縁部７０に沿って直角に結合された２つの外側の壁部材７２、７４を有し、各外側の壁部材７２、７４が上記外側縁部７０から上記外側端部７２、７４の１つへ延び、上記外側及び内側の壁６２、６４が当該外側端部６６、６８の１つにおいて上記係止部分９０を形成することを特徴とする請求項１６に記載の組立体１０。
【請求項１８】
上記係止部分９０が多角形であることを特徴とする請求項１７に記載の組立体１０。
【請求項１９】
上記係止部分９０が上記ベース１４の上記外側周辺１５から内方に離間しており、当該ベース１４の部分９２が上記外側の壁に当接することを特徴とする請求項１８に記載の組立体１０。
【請求項２０】
頂部キャップ２０を更に有し、上記支持ポスト１８が上記ベース１４から上記頂部キャップ２０へ延び、同頂部キャップ２０内に嵌合することを特徴とする請求項１９に記載の組立体１０。
【請求項２１】
上記支持ポスト１８のまわりに巻かれた透明なフィルムを更に有することを特徴とする請求項２０に記載の組立体１０。
【請求項２２】
製品１２と上記支持ポスト１８との間で製品１２上に置かれる透明なフィルムを更に有することを特徴とする請求項２０に記載の組立体１０。
【請求項２３】
上記ベース１４が防水性であることを特徴とする請求項１９に記載の組立体１０。
【請求項２４】
上記ベース１４が発泡ポリスチレンから作られることを特徴とする請求項２３に記載の組立体１０。
【請求項２５】
上記支持ポスト１８が紙から作られることを特徴とする請求項２４に記載の組立体１０。
【請求項２６】
上記外側の壁６２が上記内側の壁６４に近接するか又は隣接する頂点８６を備えた内方に指向するビード８４を有し、同ビード８４が上記コーナーポスト１８を長手方向の管状で中空の副区分８８と、上記係止部分９０とに分割することを特徴とする請求項１９に記載の組立体１０。
【請求項２７】
上記係止部分９０が完全に包まれることを特徴とする請求項２６に記載の組立体１０。
【請求項２８】
上記係止部分９０が部分的に包まれることを特徴とする請求項２６に記載の組立体１０。
【請求項２９】
製品を保持するための梱包組立体において、
上記組立体が、
各々上端及び底端を有し、上記底端に位置する一体的に形成されたタブを有する少なくとも１つの長手方向の支持ポストと；
相互係止様式で上記支持ポストの上記底端を受け入れるように形状づけられた少なくとも１つの開口を中に位置させたベースと；
を有することを特徴とする組立体。
【請求項３０】
上記係止タブが実質上Ｌ字形状であることを特徴とする請求項２９に記載の組立体。
【請求項３１】
上記ベースが発泡ポリスチレンから作られ、上記コーナーポストが巻かれた積層紙シートから形成されることを特徴とする請求項３０に記載の組立体。
【発明の詳細な説明】
【技術分野】
【０００１】
本発明は家庭用の器具のような大型製品のための保護梱包に関する。特に、本発明はＥＰＳのベース又は頂部キャップと相互係止する積層された紙の支持ポストを備えた梱包装置に関する。
【背景技術】
【０００２】
器具製造産業では、製造中に、器具の底部を木製のパレット又は他の形式のベースに締結することが普通に行われてきた。ベースは、ベースの周辺が器具の周辺を越えて延びるように、器具の幅及び奥行きに関して過剰寸法となるように寸法決めされる。器具が完全に組立てられた後（及び器具がベースに装着されている間に）、開いた上端及び底端を有する剛直だが収縮可能な四面の波形の箱又はスリーブが器具の上に置かれ、ベースに固定される。頂部キャップを箱の上に配置する前に、（コーナーポストとしても知られる）支持ポストは、ポストがベースから頂部キャップまで延びるように、器具と波形のスリーブとの間で器具の各隅部で挿入される。コーナーポストは器具にクッションを与え、これを保護するために梱包された器具の垂直隅部に対してぴったり嵌合する。その結果、梱包された器具は衝撃から保護されるが、波形の箱を取り外さない限り見ることができない。
【０００３】
器具産業における動向は開いた側面の（見ることのできる）パッケージとして器具を梱包するようになってきた。開いた側部のパッケージは四面の波形の箱又はスリーブを組み込まない。その代わり、開いた側部のパッケージは透明なプラスチックフィルムで包まれる。
【０００４】
器具のための典型的な開いた側部のパッケージはモールド成形された発泡ポリスチレン（ＥＰＳ）のベースと、頂部キャップと、ベース及び頂部キャップに相互係止するモールド成形されたＥＰＳの隅部プロテクタとを含む。ＥＰＳのパッケージの利点はその相互係止能力である。ＥＰＳのパッケージの欠点は、ＥＰＳの隅部プロテクタが積み重ね強度
を持つとしても最小の積み重ね強度しか提供しないため、積み重ね強度が器具を通しての積み重ねにより達成されることである。
【０００５】
本発明の譲受人であるソノコ・プロダクツ社(Sonoco Products Company)は高強度の荷重支持コーナーポストを有する主として紙を基礎とする開いた側部のパッケージを開発してきた。主として紙を基礎とするパッケージはその上に器具を固定するベースと、頂部キャップと、巻かれた紙のコーナーポストとを有する。コーナーポストがベースと相互係止しないため、ベースは器具の隅部に対してコーナーポストを保持する補助を行う紙の底部トレイ内に置かれる。モールド成形されたＥＰＳのパッケージとは異なり、積み重ね強度は、器具によってではなく、コーナーポストにより提供される。クランプリフティングのための増大した強度保護を提供するために、付加的なポストを水平なブレースとして使用することができる。
【０００６】
紙を基礎とする開いた側部のパッケージは実質的な積み重ね、クランプ及びリフティング力に耐えることができる。しかし、皿洗い器具の梱包のようなある応用においては、底部トレイは湿気状態に曝されることがあるので、防水性トレイを使用することを望ましくする。
【特許文献１】米国特許第５，２６７，６５１号明細書
【特許文献２】米国特許第５，５９３，０３９号明細書
【特許文献３】米国特許第６，１８６，３２９号明細書
【特許文献４】米国特許第６，２４７，５９６号明細書
【特許文献５】米国特許第６，５１３，６６２号明細書
【発明の開示】
【発明が解決しようとする課題】
【０００７】
従って、本発明の目的は、モールド成形されたＥＰＳのベース及び（又は）頂部キャップと相互係止する紙のコーナーポストを提供することにより、紙の底部トレイを必要としない、大型器具のための開いた側部のパッケージを提供することである。
【０００８】
本発明の更なる目的は、器具ではなく、コーナーポストが積み重ね荷重を支えるような、開いた側部のパッケージを提供することである。
【０００９】
本発明の別の目的は、実質的な積み重ね、クランプ及びリフティング力に耐えることのできる、大型器具のための開いた側部のパッケージを提供することである。
【００１０】
他の及び付加的な目的は、以下の説明、添付図面及び特許請求の範囲の記載から明らかとなろう。
【課題を解決するための手段】
【００１１】
本発明は、大型器具のような製品を保護し、これにクッションを与えるための改善された開いた側部を持つ梱包組立体である。組立体は防水性のモールド成形されたＥＰＳのベースと、頂部キャップと、ベースから頂部キャップへ延びる４つの紙のコーナーポストとを有する。コーナーポストは、コーナーポストがベース又は頂部キャップ内に挿入されたときに、これらが脱落しないように、形状づけられる。一層詳細には、コーナーポストはその底端及び上端に係止部分を有し、係止部分はコーナーポストをモールド成形されたＥＰＳのベース及び頂部キャップに相互係止できる。
【００１２】
１つの特定の実施の形態においては、本発明は、各々、底端及び底端に位置する２つの一体的に形成された係止タブを有する４つの長手方向の支持ポストと、各隅部でその中に位置する開口を有する矩形のベースとを備え、開口は相互係止様式で支持ポストの底端を受け入れるように形状づけられる。支持ポストは、外側の壁と、その間に中空の空間を画定するように外側の壁と実質上同程度に広がり、外側端部で外側の壁に結合された内側の、製品に対面する壁とを備えた管状構造体として巻かれた紙シートから形成される。２つの係止タブはポストの外側端部に位置する。各係止タブは実質上平坦であり、外側の壁及び内側の壁の隣接する部分から形成される。
【００１３】
本発明の重要な特徴においては、２つの係止タブは、ポストが使用中にいかなる横方向にも移動するのを阻止するように、非平行な平面上で指向する。係止タブは、ベースの部分が適所でのポストの保持を補助するために各外側の壁部材に当接するように、ベースの外側周辺から内方に離間する。
【００１４】
第２の実施の形態においては、紙のコーナーポストの各々は底端に位置する、モールド成形されたＥＰＳのベースと相互係止するようになった多角形の係止部分を有する。多角形の係止部分は好ましくはポストの中空で管状の副区分である。安定性を増大させるために、コーナーポストはまた１つの外側端部に位置する実質上平坦な係止タブを有することができる。
【発明を実施するための最良の形態】
【００１５】
図面に戻ると、図１、２には、本発明の好ましい実施の形態である大型の器具１２のような製品を保護し、これにクッションを与えるための梱包組立体１０を示す。梱包組立体１０はベース１４と、ベース１４に固定された２つの後方のコーナーポスト１６及び２つの前方のコーナーポスト１８と、頂部キャップ２０とを有する。随意の透明なフィルム（図示せず）は、製品１２を塵や埃から保護するために、パッケージ１０のまわりに巻くか又は製品１２上に被せることができる。
【００１６】
図３に明示するように、ベース１４は実質上矩形であり、前後の中心軸線のまわりで対称的である。ベース１４は製品を支持するための部分を有し、製品の脚部を収容するための付加的な開口（図示せず）を有することができる。後方及び前方の隅部における開口２２、２４は、相互係止様式でコーナーポスト１６、１８を受け入れるために後方及び前方のコーナーポスト１６、１８の底端の横断面形状と同じ形状を有する。好ましくは、ベース１４は防水性のモールド成形された発泡のポリスチレン（ＥＰＳ）で形成され、ベース１４を作るのに必要な材料の量を減少させるためにベース１４内に位置する大きなくぼみ２６を有することができる。ベース１４は、ベース１４の隅部においてベース１４と相互係止するコーナーポストが外部で製品１２のまわりに嵌合するように、製品の周辺よりも幾分大きな外側周辺１５を有する。
【００１７】
図４、５はそれぞれ図１の後方及び前方のコーナーポストの上平面図である。図４に注意を向けると、後方のコーナーポスト１６は部材３６、３８で構成した外側の壁２８と、その間に中空の空間を画定するように外側の壁２８と実質上同程度に広がり、外側端部３２、３４で外側の壁２８に結合された実質上Ｌ字形状の内側の、製品に対面する内側の壁３０とを有する。２つの鏡面対称の外側の壁部材３６、３８は外側縁部４０に沿って直角に結合され、外側縁部４０から外側端部３２、３４へ延びる。外側縁部４０から始まり、外側の壁部材３６、３８は、外側縁部４０から直角に延びる第１の基端側の区分４２、４４と、第１の区分４２、４４から内側の壁３０との係合部の方へ角度的に内方に（製品の方向に）延びる第２の中間の区分４６、４８と、第２の区分４６、４８から端部３２、３４へ延びる第３の末端側の区分５２、５４とを有する。第１の区分４２、４４はコーナーポスト１６（及びパッケージ組立体１０）の外側周辺を画定し、従って、使用した場合に透明なフィルムの包装体に接触する。好ましい実施の形態では、第３の区分５２、５４は第１の区分４２、４４に実質上平行であり、内側の壁３０に近接又は隣接する。
【００１８】
図４を更に参照すると、後方のコーナーポストの内側の壁３０は製品に隣接して内側隅部５０に沿って直角に結合された２つの平坦な内側の壁部材５６、５８を有する。各内側の壁部材５６、５８は内側隅部５０から外側端部３２、３４の１つへ延びる。
【００１９】
外側の壁２８の末端側の区分５２、５４に隣接する内側の壁部材５６、５８の末端側の区分は係止タブ６０を形成する。後に更に説明するが、係止タブ６０はベース１４の後方の開口２２内に嵌合する。本発明の重要な態様においては、係止タブ６０は実質上平坦であるが、非平行な平面内で指向し、そのため、係止タブは、コーナーポストがいかなる横方向（水平方向）にも移動することを阻止し、それにより後方のコーナーポスト１６を適所に係止する。
【００２０】
本発明の別の重要な態様においては、係止タブ６０は距離δ（デルタ）だけコーナーポストの外側周辺から内方へ離間する。その結果、図６に明示するように、ベース１４の舌部分９９はコーナーポスト１６を適所で保持する補助を行うように後方のコーナーポスト１６の外側の壁２８に当接する。特に、ベース１４は後方のポストの外側の壁部材２８の第２の部分４６、４８及び第３の部分５２、５４に当接する。距離δは、コーナーポスト１６とベース１４の周辺１５との間に介在するベースの部分９９が使用中の破断を阻止するのに十分な幅となるように、十分な大きさとすべきである。
【００２１】
図５は本発明に係るコーナーポストの第２の実施の形態の上平面図であり、図示のものは前方のコーナーポスト１８のために使用される。各前方のコーナーポスト１８は後に一層詳細に説明するような中空で管状の係止部分９０と、安定性を増大させるために、後方のコーナーポストの係止タブ６０と同様の形状及び機能を持つ実質上平坦な係止タブ８０とを有する。
【００２２】
後方のコーナーポスト１６と同様、各前方のコーナーポスト１８は部材７２、７４で構成される外側の壁６２と、その間に少なくとも１つの中空の空間を画定するように外側の壁６２と実質上同程度に広がり、端部６６、６８で外側の壁６２に結合された実質上Ｌ字形状の内側の、製品に対面する壁６４とを有する。外側の壁の第１及び第２の部材７２、７４は外側縁部７０に沿って直角に結合され、外側縁部７０から外側端部６６、６８へ延びる。
【００２３】
外側の壁の第１の部材７２は後方のコーナーポストの外側の壁部材３６、３８と同様の形状を有する。外側縁部７０から始まり、外側の壁の第１の部材７２は外側縁部７０から延びる第１の基端側の区分７６と、第１の区分７６から内側の壁６４との係合部の方へ角度的に内方に延びる第２の中間の区分７８と、第２の区分７８から第１の端部６６へ延びる第３の末端側の区分８２とを有する。第３の区分８２は第１の区分７６に実質上平行であり、一緒になって、これらは後方のコーナーポストの係止タブ６０と同様の形状及び機能を持つ係止タブ８０を画定する。
【００２４】
外側の壁の第２の部材７４は、非平面的な様式で、外側縁部７０から、内側の壁６４に遭遇する端部６８へ延びる。第１の平坦な区分８３は外側縁部７０から直角に外側の壁の第１の部材の第１の区分７６へ延びて、前方のコーナーポスト１８の外側周辺を画定する。外側の壁の第２の部材７４は内側の壁６４に近接又は隣接する頂点８６を有する内方に指向するビード８４を具備する。ビード８４はコーナーポスト１８を２つの長手方向の管状で中空の副区分８８、９０に分割する。小さい方の中空の副区分９０は全体的に又は部分的に包まれることができ、ベース１４内でコーナーポスト１８を更に係止するための係止部分として機能する。後に更に説明するが、前方のコーナーポストの係止タブ８０及び係止部分９０は前方のコーナーポスト１８を適所に保持するためにベース１４の前方の開口２４内に嵌合する。
【００２５】
前方のコーナーポストの係止タブ８０は、図６に明示するように、ベース１４の舌部分９９が前方のコーナーポスト１８の外側の壁６２に当接するように、コーナーポストの外側周辺から内方へ離間する。特に、ベース１４は前方のコーナーポストの外側の壁部材７２の第２の部分７８及び第３の部分８２に当接する。係止タブ８０は、コーナーポスト１８とベース１４の周辺１５との間に介在するベース１４の部分９９が使用中の破断を阻止するのに十分な幅となるように、外側周辺から内方へ十分に離間すべきである。
【００２６】
同様に、係止部分として機能する中空の副区分９０は、コーナーポスト１８とベース１４の周辺１５との間に介在するベース１４の部分９２が使用中の破断を阻止するのに十分な幅となるように、コーナーポストの外側周辺から内方へ十分に離間すべきである。
【００２７】
係止部分９０が多角形であるため、即ち（係止タブ８０の場合の２つの側部とは異なって）少なくとも３つの側部でベース１４に当接するので、係止部分自体は、コーナーポスト１８が横方向に移動するのを阻止することができ、従って、付加的な係止タブ８０は必要でない。しかし、係止タブ８０は付加的な相互係止能力を提供することによりパッケージ組立体の安定性を増大させる。係止部分９０はまた、器具が突出部を有するような側部においては、係止タブ８０よりも一層適することがある。
【００２８】
図６は搬送用のベース１４に相互係止された後方及び前方のコーナーポスト１６、１８を示す上平面図である。ダッシュラインは図示しない製品１２の外側寸法を示す。コーナーポストの係止タブ６０、８０及び前方のコーナーポストの係止部分９０は、先の開いた側部の紙を基礎とする梱包デザインにおけるような底部のトレイの助けなしに、コーナーポスト１６、１８を適所で係止するために、ベース１４の開口２２、２４（図３）内に嵌合する。係止構造体（即ち、係止タブ６０、８０及び中空の係止部分９０）は、ベース１４の一部が製品１２から離れた係止構造体の外側のまわりにおいて嵌合できるようにするために、コーナーポスト１４、１６の外側周辺から内方に離間する（片寄る）。
【００２９】
梱包装置１０はまた製品１２の頂部を覆う頂部キャップ２０を有することができる。簡単のため、頂部キャップ２０は、図１に示すように、コーナーポスト１６、１８の上端を頂部キャップ２０の開口内へ挿入できるように、ベース１２と同じ形状を有することができる。
【００３０】
好ましくは、ベース１２及び頂部キャップ２０の双方はモールド成形された発泡のポリスチレン（ＥＰＳ）材料で形成される。代わりに、ベース１２及び（又は）頂部キャップ２０は、コーナーポストを受け入れるための開口を形成するように形状づけることができるか、形成することができるか又はダイス切断することのできる任意の適当な材料で形成することができる。
【００３１】
コーナーポストは好ましくは、すべて参照としてここに組み込む米国特許第５，２６７，６５１号、同第５，５９３，０３９号、同第６，１８６，３２９号、同第６，２４７，５９６号及び同第６，５１３，６６２号各明細書を含む、種々の米国特許及び外国特許に記載され、サウスカロライナ州ハーツビル(Hartsville) の上記ソノコ・プロダクツ社により製造されたもののような、巻かれた積層紙シートから形成される。このようなコーナーポストは基本的には形作られた紙チューブであり、チューブとして巻かれ、典型的には器具の垂直縁部のまわりでぴったり嵌合するように修正された「Ｌ」字状の横断面を備えた形状である所望の形状として形状づけられた単一の紙シートから作られる。コーナーポストは大きな荷重支持能力を有する。
【００３２】
図示の好ましい実施の形態においては、後方のコーナーポスト１４及び前方のコーナーポスト１６は異なるデザインを有するが、これらは異なる必要がないことを理解すべきである。例えば、梱包組立体は図４に示す後方のコーナーポスト１６と同様の係止タブを有するポストのみ、または、図５に示す前方のポスト１８と同様の係止タブ及び多角形の係止部分を有するポストのみで構成することができる。代わりに、コーナーポストは係止タブを有さず、単一の多角形の係止部分を有することができる。
【００３３】
係止構造体はベース及び（又は）頂部キャップに相互係止する任意の適当な形状とすることができる。例えば、各コーナーポストは、それ自体コーナーポストの横方向運動を十分に阻止できる単一の実質上Ｌ字状の係止タブを有することができる。
【００３４】
上述の教示及び特許請求の範囲により定義されるような本発明の要旨から逸脱しない本発明の更なる修正及び代わりの実施の形態が予期できる。特許請求の範囲が本発明の要旨内にあるすべてのこのような修正をカバーすることを意図するものである。
【図面の簡単な説明】
【００３５】
【図１】モールド成形されたＥＰＳの搬送用のベースと、後方及び前方のコーナーポストとを含む、本発明に係る開いた側部の梱包組立体斜視図である。
【図２】図１の梱包組立体の分解部品図である。
【図３】図１の搬送用のベースの上平面図である。
【図４】図１の後方のコーナーポストの１つを示す上平面図である。
【図５】図１の前方のコーナーポストの１つを示す上平面図である。
【図６】図１のコーナーポスト及び搬送用のベースの上平面図である。
【図１】
2007509828.tif 000003
【図２】
2007509828.tif 000004
【図３】
2007509828.tif 000005
【図４】
2007509828.tif 000006
【図５】
2007509828.tif 000007
【図６】
2007509828.tif 000008
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
製品１２を保持するための梱包組立体１０において、
上記組立体１０が、
各々上端及び底端を有し、上記底端に位置する一体的に形成された少なくとも１つのタブ６０，８０，９０を有する少なくとも１つの長手方向の支持ポスト１６，１８と；
相互係止様式で上記支持ポスト１６，１８の上記底端を受け入れるように形状づけられた開口２２，２４を中に位置させたベース１４とを有し、
上記ベース１４及び上記支持ポスト１６，１８が協働して、上記支持ポスト１６，１８が横方向へ移動することを防止することを特徴とする、梱包組立体。
【請求項２】
上記ベース１４が矩形であり、４つの隅部及び外側周辺１５を有し、上記開口２２，２４が上記隅部に位置することを特徴とする請求項１に記載の梱包組立体１０。
【請求項３】
各支持ポスト１６，１８が、外側の壁２８，６２と、間に中空の空間を画定するように上記外側の壁２８，６２と実質上同程度に広がり、外側端部３２，３４，６６，６８で当該外側の壁２８，６２に結合された内側の、製品に対面する壁３０，６４とを備えた管状構造体であることを特徴とする請求項２に記載の梱包組立体１０。
【請求項４】
各支持ポストの外側の壁２８，６２が外側縁部４０に沿って直角に結合された２つの外側の壁部材３６，３８，７２，７４を有し、各外側の壁部材３６，３８，７２，７４が上記外側縁部４０から上記外側端部３２，３４，６６，６８の１つへ延び、上記内側の壁３０，６４が内側隅部に沿って直角に結合された２つの内側の壁部材を有し、各内側の壁部材が上記内側隅部から当該外側端部３２，３４，６６，６８の１つへ延び、当該外側及び内側の壁２８、３０が該外側端部３２，３４，６６，６８において係止タブ６０，８０，９０を形成することを特徴とする請求項３に記載の梱包組立体１０。
【請求項５】
各係止タブ６０が実質上平坦であり、上記外側の壁２８及び上記内側の壁３０の隣接する部分から形成されることを特徴とする請求項４に記載の組立体。
【請求項６】
上記２つの係止タブ６０が非平行な平面上で指向することを特徴とする請求項５に記載の組立体。
【請求項７】
上記係止タブ６０が上記ベース１４の上記外側周辺１５から内方に離間し、当該ベース１４の部分９９が各外側の壁部材３６、３８に当接することを特徴とする請求項６に記載の梱包組立体１０。
【請求項８】
頂部キャップ２０を更に有し、上記支持ポスト１６が上記ベース１４から上記頂部キャップ２０へ延び、同頂部キャップ２０内に嵌合することを特徴とする請求項７に記載の梱包組立体１０。
【請求項９】
上記支持ポスト１６のまわりに巻かれた透明なフィルムを更に有することを特徴とする請求項８に記載の梱包組立体１０。
【請求項１０】
製品１２と上記支持ポスト１６との間で製品１２上に置かれる透明なフィルムを更に有することを特徴とする請求項８に記載の梱包組立体１０。
【請求項１１】
上記ベース１４が防水性であることを特徴とする請求項７に記載の梱包組立体１０。
【請求項１２】
上記ベース１４が発泡ポリスチレンから作られることを特徴とする請求項１１に記載の梱包組立体１０。
【請求項１３】
上記係止タブ９０が多角形であることを特徴とする請求項４に記載の梱包組立体１０。
【請求項１４】
上記係止タブ９０が上記ベース１４の上記外側周辺１５から内方に離間しており、当該ベース１４の部分９２が上記外側の壁６２に当接することを特徴とする請求項１３に記載の梱包組立体１０。
【請求項１５】
頂部キャップ２０を更に有し、上記支持ポスト１８が上記ベース１４から上記頂部キャップ２０へ延び、同頂部キャップ２０内に嵌合することを特徴とする請求項１４に記載の梱包組立体１０。
【請求項１６】
上記支持ポスト１８のまわりに巻かれた透明なフィルムを更に有することを特徴とする請求項１５に記載の梱包組立体１０。
【請求項１７】
製品１２と上記支持ポスト１８との間で製品１２上に置かれる透明なフィルムを更に有することを特徴とする請求項１５に記載の梱包組立体１０。
【請求項１８】
上記ベース１４が防水性であることを特徴とする請求項１４に記載の梱包組立体１０。
【請求項１９】
上記ベース１４が発泡ポリスチレンから作られることを特徴とする請求項１８に記載の梱包組立体１０。
【請求項２０】
上記支持ポスト１８が紙から作られることを特徴とする請求項１９に記載の梱包組立体１０。
【請求項２１】
上記外側の壁６２が上記内側の壁６４に近接するか又は隣接する頂点８６を備えた内方に指向するビード８４を有し、同ビード８４が上記コーナーポスト１８を長手方向の管状で中空の副区分８８と、上記係止タブ９０とに分割することを特徴とする請求項１４に記載の梱包組立体１０。
【請求項２２】
上記係止タブ９０が完全に包まれることを特徴とする請求項２１に記載の梱包組立体１０。
【請求項２３】
上記係止タブ９０が部分的に包まれることを特徴とする請求項２１に記載の梱包組立体１０。
【国際調査報告】
2007509828.tif 000009